(57)【要約】      （修正有）【課題】台紙に綴じ穴を形成する必要がなく、従って、本文頁の綴じ穴と台紙の綴じ穴との位置合わせを行う必要がなく、安価に、かつ、効率的に製造することができる紙製綴じ具を用いた冊子を提供する。【解決手段】複数の綴じ穴が上縁部に形成されたカレンダー用紙１１の束と、紙製綴じ具３０と、スタンド台紙１２とによって構成され、紙製綴じ具３０が、側縁部３１と、側縁部３１の長手方向と平行な中心軸線周りにリング状に湾曲した多数のリング状部とを有し、紙製綴じ具３０のリング状部をカレンダー用紙１１の綴じ穴に挿通してカレンダー用紙１１の束を綴じ、紙製綴じ具３０の側縁部３１を、両面テープ２０によってスタンド台紙１２の上縁部１２ａに対して接着した。【選択図】図２
0003222484.tif 000002
【実用新案登録請求の範囲】
【請求項１】
複数の綴じ穴が縁部に形成された本文頁の束と、紙製綴じ具と、台紙とによって構成される冊子であって、
紙製綴じ具が、側縁部と、側縁部の長手方向と平行な中心軸線周りにリング状に湾曲した多数のリング状部とを有し、
紙製綴じ具のリング状部が本文頁の綴じ穴に挿通されることによって本文頁の束が綴じられ、
紙製綴じ具の側縁部が台紙の縁部に対して固定されていることを特徴とする、紙製綴じ具を用いた冊子。
【請求項２】
紙製綴じ具の側縁部が、両面テープによって台紙の縁部に接着されていることを特徴とする、請求項１に記載の紙製綴じ具を用いた冊子。
【請求項３】
本文頁がカレンダー用紙であり、台紙がスタンド台紙であり、卓上カレンダーとして構成されることを特徴とする、請求項１又は請求項２に記載の紙製綴じ具を用いた冊子。
【考案の詳細な説明】
【技術分野】
【０００１】
本考案は、紙製綴じ具を用いた冊子（壁掛けタイプ或いは卓上タイプのカレンダー、又は、その他の冊子）に関し、特に、本文頁（カレンダー用紙等）と台紙とによって構成される紙製綴じ具を用いた冊子に関する。
【背景技術】
【０００２】
従来、カレンダー等の冊子においては、複数枚の紙葉を綴じるための手段として、金属製の綴じ具（螺旋ワイヤーやダブルリング綴じ具等）が広く使用されていたが、最近では、廃棄時に分別作業が不要な紙製の綴じ具が普及してきている。図４は、紙製綴じ具３０の一例を示す図である。この紙製綴じ具３０は、二枚の厚紙を接着剤で貼り付けてなる帯状の基材を裁断して、側縁部３１と、櫛歯状部（側縁部３１から、その長手方向と直交する方向に櫛歯状に突出する部分）とからなる形状に加工し、更に、プレス加工により、櫛歯状部を側縁部３１の長手方向と平行な中心軸線周りにリング状に湾曲させて、多数のリング状部３２を、側縁部３１の長手方向へ所定の間隔をおいて並列するように形成してなるものである。
【０００３】
図４に示す紙製綴じ具３０を用いて卓上カレンダーを製造する場合、例えば図５（１）に示すように、カレンダー用紙４１（本文頁）の束と、厚紙製のスタンド台紙４２とを重ねて位置を揃え、それらの綴じ穴４１ａ，４２ａ内に、紙製綴じ具３０のリング状部３２を挿通し、次に、図５（２）に示すように、リング状部３２の先端部と、側縁部３１とを突き合わせて接着する。
【０００４】
尚、図５の例では、スタンド台紙４２として、長方形の厚紙製基材の両端部（長手方向の両端部）を立ち上げるようにしてコの字状に折り曲げ、一方を表側部４３、他方を裏側部４４とし、それらの中間の部分（底部４５）を二つ折りにして表側部４３と裏側部４４の間にたたみ込み、表側部４３と裏側部４４を重ね合わせてなるものが用いられている。
【０００５】
図５に示す卓上カレンダーを使用する場合、図６（１）に示すように、スタンド台紙４２の表側部４３と裏側部４４の下方側を拡げ、底部４５を伸ばして全体が三角形状となるようにし、紙製綴じ具３０を回転させて、側縁部３１等（側縁部３１とリング状部３２との接着部分）を、スタンド台紙４２の綴じ穴４２ａの近傍の位置まで移動させ、図６（２）に示すように、カレンダー用紙４１の束を表側部４３の前方の位置まで移動させる。そして、月が変わる度に、カレンダー用紙４１を１枚ずつめくり、スタンド台紙４２の裏側部４４側へ移動させて使用する。
【０００６】
また、図４に示す紙製綴じ具３０を用いた冊子として、実用新案登録第３１９７６１５号公報（特許文献１）に開示されているような卓上カレンダーも知られている。
【先行技術文献】
【特許文献】
【０００７】
【特許文献１】実用新案登録第３１９７６１５号公報
【考案の概要】
【考案が解決しようとする課題】
【０００８】
図５に示すような卓上カレンダーを製造する際には、カレンダー用紙４１の綴じ穴４１ａとスタンド台紙４２の綴じ穴４２ａに紙製綴じ具３０を通す前に、それらを重ねて綴じ穴４１ａ，４２ａの位置を合わせる必要がある。このとき、カレンダー用紙４１とスタンド台紙４２の幅寸法が同一である場合には、それらの一方側の側縁（又は両側縁）と上縁とをガイド等に当接させることによって、綴じ穴４１ａ，４２ａの位置合わせを容易に行うことができる。
【０００９】
一方、カレンダー用紙４１とスタンド台紙４２の幅寸法が同一でない場合には、綴じ穴４１ａ，４２ａの位置を合わせるために、特別なガイド装置、或いは、煩雑な工程が必要となり、製造コストが増大し、或いは、製造効率の低下を招いてしまうという問題がある。従って、この卓上カレンダーを安価に、かつ、効率的に製造するためには、カレンダー用紙４１とスタンド台紙４２の幅寸法を同一に設定せざるを得ない、ということになる。
【００１０】
本考案は、上記のような従来技術における課題を解決しようとするものであって、台紙に綴じ穴を形成する必要がなく、従って、本文頁の綴じ穴と台紙の綴じ穴との位置合わせを行う必要がなく、安価に、かつ、効率的に製造することができる紙製綴じ具を用いた冊子を提供することを目的とする。
【課題を解決するための手段】
【００１１】
本考案に係る紙製綴じ具を用いた冊子は、複数の綴じ穴が縁部に形成された本文頁の束と、紙製綴じ具と、台紙とによって構成され、紙製綴じ具が、側縁部と、側縁部の長手方向と平行な中心軸線周りにリング状に湾曲した多数のリング状部とを有し、紙製綴じ具のリング状部が本文頁の綴じ穴に挿通されることによって本文頁の束が綴じられ、紙製綴じ具の側縁部が台紙の縁部に対して固定されていることを特徴としている。
【００１２】
尚、紙製綴じ具の側縁部が、両面テープによって台紙の縁部に接着されていることが好ましい。また、この紙製綴じ具を用いた冊子は、本文頁をカレンダー用紙とし、台紙をスタンド台紙とすることにより、卓上カレンダーとして構成することができる。
【考案の効果】
【００１３】
本考案に係る紙製綴じ具を用いた冊子は、台紙に綴じ穴を形成する必要がなく、本文頁の綴じ穴と台紙の綴じ穴との位置合わせを行う必要がないため、安価に、かつ、効率的に製造することができる。また、本文頁と台紙の幅寸法及び縦寸法を同一に設定する必要がなく、デザインの自由度が大きいという利点を有している。更に、本文頁と台紙とを個別に製造することができ、製造工程の分散が可能になり、製造効率の向上を期待することができる。
【図面の簡単な説明】
【００１４】
【図１】図１は、本考案の第一実施形態に係る卓上カレンダーを構成するカレンダー用紙１１の束、及び、紙製綴じ具３０の断面図である。
【図２】図２は、本考案の第一実施形態に係る卓上カレンダーを構成するカレンダー用紙１１の束、紙製綴じ具３０、及び、スタンド台紙１２の断面図である。
【図３】図３は、本考案の第一実施形態に係る卓上カレンダーの正面図である。
【図４】図４は、紙製綴じ具３０の一例を示す図である。
【図５】図５は、従来の卓上カレンダーを構成するカレンダー用紙４１の束、紙製綴じ具３０、及び、スタンド台紙４２の断面図である。
【図６】図６は、従来の卓上カレンダーを構成するカレンダー用紙４１の束、紙製綴じ具３０、及び、スタンド台紙４２の断面図である。
【考案を実施するための形態】
【００１５】
本考案「紙製綴じ具を用いた冊子」は、卓上カレンダー、壁掛けカレンダー、ノートブック等として実施することができる。ここでは、卓上カレンダーに適用した例を、本考案の第一実施形態として説明する。本実施形態の卓上カレンダーは、図１及び図２に示すカレンダー用紙１１（本文頁）の束、紙製綴じ具３０、及び、スタンド台紙１２によって構成され、紙製綴じ具３０によってカレンダー用紙１１の束が綴じられるとともに、紙製綴じ具３０の側縁部３１が、スタンド台紙１２の上縁部１２ａに対して接着されていることを特徴としている。
【００１６】
本実施形態の卓上カレンダーは、次のような方法によって製造することができる。まず、図１（１）に示すように、位置を揃えて束ねた複数枚のカレンダー用紙１１の各上縁部に形成されている綴じ穴１１ａ内に、紙製綴じ具３０のリング状部３２を挿通し、図１（２）に示すように、リング状部３２の先端部と、側縁部３１とを突き合わせて接着して、カレンダー用紙１１の束を綴じ、更に、紙製綴じ具３０の側縁部３１の裏側面（リング状部３２の先端部が接着された面とは反対側の面）に、両面テープ２０を貼り付ける。
【００１７】
次に、図２に示すように、紙製綴じ具３０を、側縁部３１が下方側となる向きにして、側縁部３１に貼り付けた両面テープ２０を、スタンド台紙１２の上縁部１２ａの表側面に貼り付けて、紙製綴じ具３０とスタンド台紙１２とを接着する。
【００１８】
上述の通り、図５、図６に示す従来の卓上カレンダーは、カレンダー用紙４１の綴じ穴４１ａとスタンド台紙４２の綴じ穴４２ａの中に紙製綴じ具３０のリング状部３２を挿通することにより、カレンダー用紙４１とスタンド台紙４２とを一体的に綴じる構造となっており、製造コスト及び製造効率の観点から、カレンダー用紙４１とスタンド台紙４２の幅寸法を同一に設定せざるを得ないという事情があった。
【００１９】
これに対して本実施形態の卓上カレンダーは、カレンダー用紙１１の束を綴じた紙製綴じ具３０を、スタンド台紙１２に対して接着することによって一体化される構造となっているため、スタンド台紙１２に綴じ穴を形成する必要がなく、また、カレンダー用紙１１とスタンド台紙１２の幅寸法（及び縦寸法）を同一に設定する必要がない、という利点を有している。例えば、図３に示すように、カレンダー用紙１１と、それよりも幅寸法及び縦寸法が大きいスタンド台紙１２とからなる卓上カレンダーとすることができる。
【００２０】
尚、上記実施形態においては、カレンダー用紙１１における綴じ穴１１ａの形成位置、及び、スタンド台紙１２における紙製綴じ具３０の接着位置が、いずれも上縁部（カレンダー用紙１１の上縁部、及び、スタンド台紙１２の上縁部）となっているが、上縁部以外の縁部（例えば、側縁部等）において、綴じ穴１１ａを形成し、紙製綴じ具３０を接着することもできる。
【００２１】
また、上記実施形態においては、両面テープ２０によって紙製綴じ具３０をスタンド台紙１２に対して接着しているが、各種の接着剤、或いは、プラスチック製の留め具等の接合手段によって、スタンド台紙１２に対して紙製綴じ具３０を固定することもできる。
【符号の説明】
【００２２】
１１：カレンダー用紙、
１１ａ：綴じ穴、
１２：スタンド台紙、
１２ａ：上縁部、
２０：両面テープ、
３０：紙製綴じ具、
３１：側縁部、
３２：リング状部、
４１：カレンダー用紙、
４１ａ：綴じ穴、
４２：スタンド台紙、
４２ａ：綴じ穴、
４３：表側部、
４４：裏側部、
４５：底部
【図１】
0003222484.tif 000003
【図２】
0003222484.tif 000004
【図３】
0003222484.tif 000005
【図４】
0003222484.tif 000006
【図５】
0003222484.tif 000007
【図６】
0003222484.tif 000008